(57)【要約】【課題】状況に応じて潜り込み排紙を良好にする。【解決手段】原稿搬送装置１は、排出トレイ１００上に先に排出された原稿の下に後の原稿を潜り込ませるように排出することが可能に構成されている。原稿搬送装置１は、排出トレイ１００に設けられ、回転駆動することで先に排出された原稿の下に排出された後の原稿を原稿の排出方向に向かって搬送する補助搬送ローラ３００と、補助搬送ローラ３００と排出トレイ１００上の原稿とを非接触状態または接触状態に切り替える切替機構（カム４１０、フラップ１２０およびローラガード４３０）とを備えている。【選択図】図３
2010275065.tif 000002
【特許請求の範囲】
【請求項１】
排出トレイ上に先に排出されたシートの下に後のシートを潜り込ませるように排出することが可能な排出装置であって、
前記排出トレイに設けられ、回転駆動することで先に排出されたシートの下に排出された後のシートをシートの排出方向に向かって搬送する補助搬送ローラと、
前記補助搬送ローラと前記排出トレイ上のシートとを接触状態または非接触状態に切り替える切替機構とを備えたことを特徴とする排出装置。
【請求項２】
前記補助搬送ローラは、少なくとも一部が前記排出トレイから突出するように配置され、
前記切替機構は、前記補助搬送ローラより前記排出トレイから突出して前記排出トレイ上のシートの一部を押し上げることで前記補助搬送ローラと前記排出トレイ上のシートとを非接触状態とする突出位置と、突出位置から下方に退避して前記補助搬送ローラと前記排出トレイ上のシートとを接触状態とする退避位置との間で移動可能な切替部材を有することを特徴とする請求項１に記載の排出装置。
【請求項３】
前記排出トレイは、排出方向上流端部が上下に揺動することで、排出トレイ上に先に排出されたシートの下に後のシートを潜り込ませるように排出する潜込モードと、排出トレイ上に先に排出されたシートの上に後のシートを積層させるように排出する積層モードとに切り替えるフラップを有し、
前記切替機構は、前記フラップの揺動に連動して動作し、潜込モードのときに接触状態に切り替え、積層モードのときに非接触状態に切り替えることを特徴とする請求項１に記載の排出装置。
【請求項４】
前記補助搬送ローラは、少なくとも一部が前記排出トレイから突出するように配置され、
前記切替機構は、前記補助搬送ローラより前記排出トレイから突出して前記排出トレイ上のシートの一部を押し上げることで前記補助搬送ローラと前記排出トレイ上のシートとを非接触状態とする突出位置と、突出位置から下方に退避して前記補助搬送ローラと前記排出トレイ上のシートとを接触状態とする退避位置との間で揺動可能な切替部材を有し、
前記切替部材は、前記フラップに当接する当接部を有し、前記フラップの上下の揺動に応じて前記フラップに押し動かされて突出位置と退避位置との間で揺動するように構成されたことを特徴とする請求項３に記載の排出装置。
【請求項５】
前記フラップは、排出方向下流側に揺動中心を有するとともに、前記切替部材は、排出方向上流側に揺動中心を有し、
前記フラップの揺動中心から排出方向上流側のシートが載る部位までの水平方向における距離は、前記切替部材の揺動中心から突出位置において前記排出トレイ上のシートの荷重を受ける部位までの水平方向における距離より長いことを特徴とする請求項４に記載の排出装置。
【請求項６】
前記排出トレイは、前記フラップと、前記フラップの排出方向下流側に配置された固定トレイとを有し、
前記フラップは、潜込モードのときに、水平方向または排出方向下流側に向かうにつれて斜め上方へ傾斜するように延びるとともに、
前記固定トレイは、少なくとも潜込モードのときの前記フラップより大きな傾斜角度で排出方向下流側に向かうにつれて斜め上方へ傾斜するように延び、
前記補助搬送ローラは、前記固定トレイの排出方向上流端部に設けられたことを特徴とする請求項３から請求項５のいずれか１項に記載の排出装置。
【請求項７】
搬送されてくるシートを前記排出トレイに排出する排出ローラを備え、
前記補助搬送ローラの周速は、前記排出ローラによるシートの排出速度以下に設定されたことを特徴とする請求項１から請求項６のいずれか１項に記載の排出装置。
【請求項８】
シートの表裏を反転するため、シートを排出する方向またはシートを引き戻す方向に回転する反転ローラと、
前記反転ローラおよび前記補助搬送ローラに駆動力を付与する正逆回転可能な１つの駆動源と、
前記駆動源の駆動力を前記反転ローラおよび前記補助搬送ローラに伝達可能なギヤ列とを備え、
前記ギヤ列は、
前記反転ローラに駆動力を伝達する反転ローラギヤと、
前記補助搬送ローラに駆動力を伝達可能な伝達ギヤと、
前記駆動源が一の方向に回転したときに前記伝達ギヤに歯合して駆動力を伝達し、前記駆動源が他の方向に回転したときに前記伝達ギヤから離間する遊星ギヤとを有することを特徴とする請求項１から請求項７のいずれか１項に記載の排出装置。
【請求項９】
請求項１から請求項８のいずれか１項に記載の排出装置を備えたことを特徴とする原稿搬送装置。
【発明の詳細な説明】
【技術分野】
【０００１】
本発明は、排出トレイにシートを排出する排出装置と、当該排出装置を備えた原稿搬送装置に関する。
【背景技術】
【０００２】
一般に、原稿や画像が形成された用紙などのシートを排出トレイ上に排出する排出装置として、排出トレイ上に先に排出されたシートの下に後のシートを潜り込ませるように排出する潜り込み排紙を行うものが知られている（例えば、特許文献１参照）。
【先行技術文献】
【特許文献】
【０００３】
【特許文献１】特開２００７−２３８２５２号公報
【発明の概要】
【発明が解決しようとする課題】
【０００４】
ところで、潜り込み排紙を行う排出装置では、排出トレイ上のシートの枚数が増えるにつれて摩擦抵抗が高まるので、後のシートは先に排出されたシートの下に潜り込みにくくなり、しわが発生したり、場合によっては詰まったりするおそれがあった。
【０００５】
特に、重いシートや表面が粗いシートなどは、摩擦抵抗が増大しやすいので、後のシートはより早い段階で潜り込みにくくなり、しわなどが発生しやすくなる。さらに、後のシートが早い段階で潜り込みにくくなることで、排出トレイに排出可能なシートの枚数が減ってしまうことがある。
【０００６】
また、後のシートが潜り込みにくくなるという問題は、潜り込み排紙を行う排出装置に特有のものであり、排出トレイ上に先に排出されたシートの上に後のシートを積層させるように排出する積層排紙を行う排出装置では問題とはならない。
【０００７】
本発明は、以上のような背景に鑑みてなされたものであり、状況に応じて潜り込み排紙を良好にすることができる排出機構および原稿搬送装置を提供することを目的とする。
【課題を解決するための手段】
【０００８】
前記した目的を達成するため、本発明の排出装置は、排出トレイ上に先に排出されたシートの下に後のシートを潜り込ませるように排出することが可能な排出装置であって、前記排出トレイに設けられ、回転駆動することで先に排出されたシートの下に排出された後のシートをシートの排出方向に向かって搬送する補助搬送ローラと、前記補助搬送ローラと前記排出トレイ上のシートとを接触状態または非接触状態に切り替える切替機構とを備えたことを特徴とする。
【０００９】
このように構成された排出装置によれば、補助搬送ローラにより、後のシートの潜り込みを補助することができるので、後のシートを良好に潜り込ませることができる。また、切替機構によって補助搬送ローラを接触状態と非接触状態との間で切り替えることができるので、状況に応じて、具体的には、シートの種類（重さや表面の粗さなど）の違いや排出モードの違い、排出トレイに排出されたシートの枚数などに応じて、必要なときに補助搬送ローラを機能させて後のシートを良好に潜り込ませることができる。
【００１０】
また、本発明の原稿搬送装置は、前記した排出装置を備えたことを特徴とする。このように構成された原稿搬送装置によっても、状況に応じて後のシートを良好に潜り込ませることができる。
【発明の効果】
【００１１】
本発明の排出装置によれば、後のシートの潜り込みを補助する補助搬送ローラと、補助搬送ローラを接触状態と非接触状態との間で切り替える切替機構とを備えるので、状況に応じて潜り込み排紙を良好にすることができる。
【図面の簡単な説明】
【００１２】
【図１】本発明の実施形態に係る排出装置を備えた原稿搬送装置の斜視図である。
【図２】原稿読取装置の構成を示す図である。
【図３】フラップが下方に位置した状態を示す図（ａ）と、フラップが上方に位置した状態を示す図（ｂ）である。
【図４】補助搬送ローラの駆動機構を示す図であり、遊星ギヤが伝達ギヤから離間した状態を示す図（ａ）と、遊星ギヤが伝達ギヤに歯合した状態を示す図（ｂ）である。
【図５】積層モード時の動作を説明するための図（ａ），（ｂ）である。
【図６】潜込モード時の動作を説明するための図である。
【発明を実施するための形態】
【００１３】
次に、本発明の実施形態について、適宜図面を参照しながら詳細に説明する。なお、以下の説明では、まず、本実施形態に係る排出装置を備えた原稿搬送装置１の概略構成について簡単に説明した後、排出装置の詳細な構成について説明する。
【００１４】
なお、以下の説明において、「搬送方向」とはシートの一例としての原稿が供給トレイ１０から排出トレイ１００に向けて搬送される方向（図２の太い実線参照）であり、「排出方向」とは原稿が原稿搬送部３０（排出ローラ２００）から排出トレイ１００に排出される方向である。また、搬送方向・排出方向における上流および下流をそれぞれ単に「上流」および「下流」といい、原稿の搬送方向・排出方向に直交する方向（原稿の幅方向）を「幅方向」という。
【００１５】
＜原稿搬送装置の概略構成＞
図１に示すように、原稿搬送装置１は、原稿を載置する供給トレイ１０と、原稿が排出される排出トレイ１００と、原稿を供給トレイ１０から排出トレイ１００に向けて搬送する原稿搬送部３０とを主に備えている。
【００１６】
図２に示すように、原稿搬送装置１の下方には、公知のフラットベッドスキャナ２が設けられており、原稿搬送装置１とフラットベッドスキャナ２とによって原稿読取装置（符号省略）が構成されている。原稿搬送装置１は、フラットベッドスキャナ２に対して開閉可能に構成されている。
【００１７】
フラットベッドスキャナ２は、原稿搬送装置１を開いたときに原稿を静置するプラテンガラス２Ｇ（原稿台）と、イメージセンサ２Ｓ（読取装置）とを主に備えている。このフラットベッドスキャナ２は、イメージセンサ２Ｓによって、プラテンガラス２Ｇに静置された原稿を走査しながら読み取ることができるとともに、原稿搬送装置１により読取位置Ｒに搬送された原稿を読み取ることができる。
【００１８】
原稿搬送部３０には、原稿を供給トレイ１０から排出トレイ１００に案内する略Ｕ形状の搬送経路３１（太い実線参照）と、原稿をスイッチバックさせるための略Ｙ形状の反転経路３２（太い破線参照）とが形成されている。
【００１９】
搬送経路３１には、上流から下流に向けて順に、吸入ローラ４１、吸入ニップ片４２、分離ローラ４３、分離ニップ片４４、第１搬送ローラ４５、第２搬送ローラ４７および排出ローラ２００が設けられている。第１搬送ローラ４５と第２搬送ローラ４７との間にはプラテンガラス２Ｇを介してイメージセンサ２Ｓと対向する読取位置Ｒがあり、第２搬送ローラ４７の下流では反転経路３２が分岐して延びている。搬送経路３１と反転経路３２が分岐する部分には、上下に揺動することで原稿を搬送経路３１と反転経路３２とに振り分けるフラップ状の第１ガイド部材６１が設けられている。
【００２０】
反転経路３２は、搬送経路３１と分岐する部分から外部（図２の右方向）に向かって延びる第１経路３２Ａと、第１経路３２Ａから分岐して搬送経路３１（第１搬送ローラ４５の上流）に合流する第２経路３２Ｂとから構成されている。第１経路３２Ａには、第３搬送ローラ５１と、反転ローラの一例としてのスイッチバックローラ（以下、ＳＢローラという。）５３とが設けられている。
【００２１】
ＳＢローラ５３は、原稿の表裏を反転する（スイッチバックする）ための公知のローラであり、原稿を反転経路３２から排出する方向（正方向）または原稿を反転経路３２に引き戻す方向（逆方向）に回転駆動する。具体的に、ＳＢローラ５３は、公知の制御によって、正方向に回転して第１経路３２Ａと第２経路３２Ｂとが分岐する部分を原稿の後端が通り過ぎるまで原稿の一部を外部に向けて排出し、一時的に停止した後、逆方向に回転して原稿を引き戻し、第２経路３２Ｂに搬送する。
【００２２】
なお、第１経路３２Ａと第２経路３２Ｂとの切り替えは、第１経路３２Ａと第２経路３２Ｂとが分岐する部分に設けられた上下に揺動するフラップ状の第２ガイド部材６２によって行われる。
【００２３】
＜排出装置の詳細構成＞
本実施形態の排出装置（符号省略）は、排出トレイ１００と、搬送経路３１を搬送されてくる原稿を排出トレイ１００に排出する排出ローラ２００と、補助搬送ローラ３００と、切替機構（符号省略）とから主に構成されている。詳細については後述するが、排出装置は、排出トレイ１００上に先に排出された原稿の下に後の原稿を潜り込ませるように排出することが可能となっている。
【００２４】
［排出トレイの構成］
排出トレイ１００は、供給トレイ１０の上方に配置され、固定トレイ１１０と、固定トレイ１１０の上流側に配置されたフラップ１２０とを主に備えている。
固定トレイ１１０は、原稿搬送装置１の外枠を構成する本体フレーム１Ａに固定されることで、通常は原稿搬送部３０に対して変位しないように構成されている。
【００２５】
フラップ１２０は、下流側に設けられた揺動軸１２１（揺動中心）を中心として、上流端部１２２が上下に揺動可能となるように、本体フレーム１Ａに支持されている。このフラップ１２０の上流端は、下方に屈曲しており、屈曲する部分には上方に向けて突出する突出部１２３が形成されている。
【００２６】
このようなフラップ１２０は、本体フレーム１Ａに設けられたカム４１０によって上下に揺動する。カム４１０は、フラップ１２０の上流側付近に設けられており、フラップ１２０の下方で幅方向に延びる押上バー４１１と、本体フレーム１Ａに正逆回転可能に軸支された一対の軸部４１２と、押上バー４１１の両端と各軸部４１２を連結する一対の連結部４１３とから主に構成されている。
【００２７】
このようなカム４１０は、軸部４１２が回転することで、フラップ１２０を、図３（ａ）に示す下方に位置した状態と、図３（ｂ）に示す上方に位置した状態との間で揺動させる。これにより、原稿搬送装置１における原稿の排出モードを、排出トレイ１００上に先に排出された原稿の上に後の原稿を積層させるように排出する積層モード（図５（ｂ）参照）と、排出トレイ１００上に先に排出された原稿の下に後の原稿を潜り込ませるように排出する潜込モード（図６参照）とに切り替えることができる。積層モードおよび潜込モードのときの動作については後述する。
【００２８】
図３（ｂ）に示すように、排出トレイ１００は、潜込モードのときに、フラップ１２０の上面が略水平方向に延び、フラップ１２０の下流側に配置された固定トレイ１１０の上面が下流側に向かうにつれて斜め上方へ傾斜するように延びている。一方、図３（ａ）に示すように、積層モードのときは、フラップ１２０の上面と固定トレイ１１０の上面とが、下流側に向かうにつれて斜め上方へ傾斜する１つの傾斜面を形成している。
【００２９】
［補助搬送ローラの構成］
図２に示すように、補助搬送ローラ３００は、排出トレイ１００のうち、固定トレイ１１０の上流端部に設けられ、一部（上部）が排出トレイ１００（固定トレイ１１０）の上面から突出するように配置されている。
【００３０】
この補助搬送ローラ３００は、図示時計回り方向（図６参照）に回転駆動することで先に排出された原稿の下に排出された後の原稿を排出方向に向かって搬送する。より正確に述べると、補助搬送ローラ３００は、後の原稿を排出方向に向かって補助的に搬送するローラであり、排出ローラ２００によって排出（搬送）されてくる後の原稿の潜り込みを補助する。
【００３１】
この補助搬送ローラ３００のローラ表面は、補助搬送ローラ３００の回転駆動だけでは排出トレイ１００上にすでに排出された原稿を搬送する（移動させる）ことができない程度の摩擦係数となっている。これにより、排出トレイ１００上にすでに排出された原稿の排出トレイ１００からの落下を抑制することができる。
【００３２】
また、回転駆動時の補助搬送ローラ３００の周速は、排出ローラ２００による原稿の排出速度（排出ローラの周速）以下に設定されている。これにより、補助搬送ローラ３００による原稿の搬送速度は、排出ローラ２００による原稿の排出速度と同じまたは遅くなるので、先に排出された原稿の落下を抑制することができる。
【００３３】
補足すると、後の原稿が排出されているとき、先に排出された原稿は後の原稿との摩擦で移動しやすくなっているため、補助搬送ローラ３００による搬送速度が排出ローラ２００による排出速度より速いと、先に排出された原稿が移動して排出トレイ１００からの落下する可能性がある。そこで、本実施形態のように、補助搬送ローラ３００による搬送速度を排出ローラ２００による排出速度と同じまたは遅くすることで、先に排出された原稿の落下を抑制することができる。
【００３４】
次に、補助搬送ローラ３００の駆動機構の構成について説明する。
図４（ａ），（ｂ）に示すように、補助搬送ローラ３００は、ＳＢローラ５３と連動して回転駆動可能に構成されている。具体的に、補助搬送ローラ３００の駆動機構は、駆動源の一例としての１つのモータ３１０と、ギヤ列３２０とから主に構成されている。
【００３５】
モータ３１０は、本体フレーム１Ａ内の適宜な位置に設けられた正逆回転可能な公知のモータであり、吸入ローラ４１、分離ローラ４３、各搬送ローラ４５，４７，５１、排出ローラ２００、ＳＢローラ５３および補助搬送ローラ３００に駆動力を付与する。
【００３６】
ギヤ列３２０は、本体フレーム１Ａ内において、補助搬送ローラ３００の側方付近（図１参照）に設けられ、モータ３１０の駆動力をＳＢローラ５３および補助搬送ローラ３００に伝達可能に構成されている。このギヤ列３２０は、反転ローラギヤの一例としてのＳＢローラギヤ３２１と、中間ギヤ３２２と、サンギヤ３２３と、遊星ギヤ３２４と、伝達ギヤ３２５とを備えている。
【００３７】
ＳＢローラギヤ３２１は、一対のＳＢローラ５３の上側のローラと一体に回転するギヤであり、モータ３１０から直接または他のギヤなどを介して間接的に入力された駆動力をＳＢローラ５３に伝達する。
中間ギヤ３２２は、ＳＢローラギヤ３２１およびサンギヤ３２３と歯合しており、ＳＢローラギヤ３２１から伝達された駆動力をサンギヤ３２３に伝達する。
【００３８】
サンギヤ３２３および遊星ギヤ３２４は、各回転軸が板状の連結部材３２６に形成された穴に回転可能に挿入されて、連結した状態で互いに歯合している。連結されたサンギヤ３２３および遊星ギヤ３２４は、サンギヤ３２３の回転軸を中心として、遊星ギヤ３２４が伝達ギヤ３２５に近接（歯合）する位置と伝達ギヤ３２５から離間する位置との間で揺動可能となっている。
【００３９】
伝達ギヤ３２５は、補助搬送ローラ３００と一体に回転するギヤであり、遊星ギヤ３２４から駆動力が入力されたときに、当該駆動力を補助搬送ローラ３００に伝達可能となっている。
【００４０】
このような駆動機構は、図４（ｂ）に示すように、正逆回転可能なモータ３１０が一の方向に回転して、ＳＢローラ５３（ＳＢローラギヤ３２１）を逆方向（原稿を引き戻す方向）に回転させるときには、サンギヤ３２３が図示時計回り方向に回転することで、遊星ギヤ３２４が伝達ギヤに歯合して駆動力を伝達ギヤ３２５に伝達する。これにより、補助搬送ローラ３００が回転駆動する。
【００４１】
一方、図４（ａ）に示すように、モータ３１０が、前記した一の方向とは逆の他の方向に回転して、ＳＢローラ５３（ＳＢローラギヤ３２１）を正方向（原稿を排出する方向）に回転させるときには、サンギヤ３２３が図示反時計回り方向に回転することで、遊星ギヤ３２４が伝達ギヤから離間する。これにより、伝達ギヤ３２５に駆動力が伝達されないので、補助搬送ローラ３００は停止する。
【００４２】
［切替機構の構成］
図３（ａ），（ｂ）に示すように、本実施形態の切替機構は、フラップ１２０と、フラップ１２０を揺動させるカム４１０と、切替部材の一例としての一対のローラガード４３０とから主に構成されている。
【００４３】
詳細については後述するが、切替機構は、補助搬送ローラ３００と排出トレイ１００上の原稿Ｍを、図３（ｂ）に示す接触状態、または、図３（ａ）に示す非接触状態に切り替えるように構成されている。さらに述べると、切替機構は、フラップ１２０の揺動に連動して動作し、フラップ１２０が上方に位置する潜込モードのときに接触状態に切り替え、フラップ１２０が下方に位置する積層モードのときに非接触状態に切り替えるように構成されている。
【００４４】
一対のローラガード４３０は、側面視略弧状に形成されており、幅方向において補助搬送ローラ３００を挟むように配置されて固定トレイ１１０の上流端部に設けられている（図１も参照）。このローラガード４３０は、上流側に設けられた揺動軸４３１（揺動中心）を中心として揺動可能に支持されている。
【００４５】
具体的に、ローラガード４３０は、図３（ａ）に示す、補助搬送ローラ３００より排出トレイ１００（固定トレイ１１０）の上面から突出して排出トレイ１００上の原稿Ｍの一部を押し上げることで補助搬送ローラ３００と排出トレイ１００上の原稿Ｍとを非接触状態とする突出位置と、図３（ｂ）に示す、突出位置から下方に退避して補助搬送ローラ３００と排出トレイ１００上の原稿Ｍとを接触状態とする退避位置との間で揺動可能となっている。
【００４６】
ローラガード４３０の上流端部には、フラップ１２０の下流端部１２４に当接する当接部４３２が設けられている。この当接部４３２は、フラップ１２０の上下の揺動、詳細には、図３（ａ）に示すように、上方に位置したフラップ１２０の下方への揺動に応じて、フラップ１２０（下流端部１２４）に押し動かされて退避位置から突出位置に揺動する。このとき、当接部４３２は、フラップ１２０の下流端部１２４に当接した状態で支持されることで突出位置に規制される。
【００４７】
ローラガード４３０が突出位置に規制された状態において、フラップ１２０の揺動軸１２１から上流側の原稿Ｍが載る部位（突出部１２３）までの水平方向における距離Ｌ１は、ローラガード４３０の揺動軸４３１から排出トレイ１００上の原稿Ｍの荷重を受ける部位（荷重受け部４３３）までの水平方向における距離Ｌ２より長くなっている。また、当接部４３２と下流端部１２４とが当接する部位からの各揺動軸１２１，４３１までの高さ（鉛直方向における距離）の差は、距離Ｌ１と距離Ｌ２との差と比較して十分小さくなっている。
【００４８】
これにより、排出トレイ１００に排出された原稿Ｍの荷重が、荷重受け部４３３にかかった場合、距離Ｌ１が距離Ｌ２より長いので、てこの原理によってローラガード４３０が退避位置に押し下げられることが抑制される。その結果、非接触状態のときに補助搬送ローラ３００と原稿Ｍとが接触することを抑制することができる。
【００４９】
一方、図３（ｂ）に示すように、下方に位置したフラップ１２０が上方へ揺動すると、フラップ１２０（下流端部１２４）は当接部４３２から離間して規制を解除する。ローラガード４３０は、揺動軸４３１より下流側の方が重いので、その重さによって突出位置から退避位置に揺動する。
【００５０】
＜原稿搬送装置の動作＞
次に、以上のように構成された原稿搬送装置１の各排出モードのときの動作について説明する。
【００５１】
［積層モード時の動作］
図３（ａ）に示すように、原稿搬送装置１は、フラップ１２０が下方に位置する積層モードのとき、原稿Ｍ（Ｍ１，Ｍ２）の両面読取搬送を実行する。このとき、ローラガード４３０は突出位置にあり、第１ガイド部材６１は上方に、第２ガイド部材６２は下方に、それぞれ揺動している。
【００５２】
図５（ａ）に示すように、積層モード（両面読取搬送）時には、原稿Ｍ２（Ｍ１）は、表の読取面Ｐ３（Ｐ１）を下向きにし、裏の読取面Ｐ４（Ｐ２）を上向きにして供給トレイ１０上にセットされる。
【００５３】
搬送が開始されると、供給トレイ１０上の原稿Ｍ２は、分離ローラ４３により搬送経路３１に搬送され、第１搬送ローラ４５によって読取位置Ｒに搬送されてイメージセンサ２Ｓにより表側の読取面Ｐ３が読み取られる。その後、原稿Ｍ２は、第２搬送ローラ４７および第１ガイド部材６１により反転経路３２（第１経路３２Ａ）に搬送される。
【００５４】
反転経路３２（第１経路３２Ａ）に搬送された原稿Ｍ２は、第３搬送ローラ５１および正方向に回転するＳＢローラ５３により外部に向けて排出されていく。このときは、図４（ａ）に示すように、遊星ギヤ３２４が伝達ギヤから離間して伝達ギヤ３２５に駆動力を伝達していないので、補助搬送ローラ３００は停止している。
【００５５】
これによれば、排出トレイ１００上にすでに排出されている原稿Ｍ１に折り目がついていたり、カールしていたりすることで、仮に原稿Ｍ１の一部が突出位置にある一対のローラガード４３０の間に入り込んで補助搬送ローラ３００と接触していたとしても、原稿Ｍ１が搬送されて排出トレイ１００から落下することを抑制することができる。
【００５６】
原稿Ｍ２のほぼ全部がＳＢローラ５３から排出されると、公知の制御によりＳＢローラ５３が一時的に停止する。このとき、第１ガイド部材６１が下方に、第２ガイド部材６２が上方に揺動する。また、原稿Ｍ２は、表の読取面Ｐ３が上向きに、裏の読取面Ｐ４が下向きになる。
【００５７】
その後、図３（ｂ）に示すように、ＳＢローラ５３が逆方向に回転することで、原稿Ｍ２は、反転経路３２（第１経路３２Ａ）に引き戻され、第２経路３２Ｂに搬送される。そして、原稿Ｍ２は、第２経路３２Ｂから搬送経路３１に搬送され、第１搬送ローラ４５によって読取位置Ｒに搬送されてイメージセンサ２Ｓにより裏側の読取面Ｐ４が読み取られる。
【００５８】
読取面Ｐ４が読み取られた原稿Ｍ２は、排出ローラ２００により排出トレイ１００に排出される。積層モード時は、フラップ１２０の突出部１２３が排出ローラ２００のニップ位置より下方に位置しているので、原稿Ｍ２は、排出トレイ１００上に先に排出された原稿Ｍ１の上に積層するように排出される。
【００５９】
このとき、ローラガード４３０は突出位置にあるので、補助搬送ローラ３００と排出トレイ１００上の原稿Ｍ（Ｍ１，Ｍ２）とは非接触状態となっている。これにより、補助搬送ローラ３００が回転駆動していても（図４（ｂ）参照）、原稿Ｍの搬送が抑制されるので、原稿Ｍが排出トレイ１００から落下することを抑制することができる。
【００６０】
なお、原稿Ｍ２は、表の読取面Ｐ３を下向きに、裏の読取面Ｐ４を上向きにして原稿Ｍ１の上に排出される。同様に原稿Ｍ１も、表の読取面Ｐ１を下向きに、裏の読取面Ｐ２を上向きにして排出されているので、積層モードにより、原稿のページ順を、下から順に、Ｐ１、Ｐ２、Ｐ３、Ｐ４と整列させた状態とすることができる。この順番は、原稿Ｍ１，Ｍ２を供給トレイ１０に載置したときのページ順と同じである。
【００６１】
［潜込モード時の動作］
図３（ｂ）に示すように、原稿搬送装置１は、フラップ１２０が上方に位置する潜込モードのとき、原稿Ｍ（Ｍ１，Ｍ２）の片面読取搬送を実行する。このとき、ローラガード４３０は退避位置にあり、第１ガイド部材６１は下方に揺動している。なお、積層モードのとき（少なくとも原稿搬送中）は、図４（ｂ）に示すように、モータ３１０が常時、前記した一の方向に回転するように制御されるので、遊星ギヤ３２４が伝達ギヤ３２５に歯合して駆動力を伝達ギヤ３２５に伝達し、補助搬送ローラ３００を常時回転駆動させる。
【００６２】
図６に示すように、積層モード（片面読取搬送）時には、原稿Ｍ２（Ｍ１）は、読取面Ｐ２（Ｐ１）を下向きにして供給トレイ１０上にセットされる。
【００６３】
搬送が開始されると、供給トレイ１０上の原稿Ｍ２は、分離ローラ４３により搬送経路３１に搬送され、第１搬送ローラ４５によって読取位置Ｒに搬送されてイメージセンサ２Ｓにより読取面Ｐ２が読み取られる。
【００６４】
読取面Ｐ２が読み取られた原稿Ｍ２は、排出ローラ２００により排出トレイ１００に排出される。潜込モード時は、フラップ１２０の突出部１２３（原稿Ｍ１の後端）が排出ローラ２００のニップ位置より上方に位置しているので、原稿Ｍ２は、排出トレイ１００上に先に排出された原稿Ｍ１の下に潜り込むように排出される。
【００６５】
このとき、ローラガード４３０は退避位置にあるので、補助搬送ローラ３００と排出トレイ１００上の原稿Ｍ（Ｍ１，Ｍ２）とは接触可能な状態となっている。これにより、排出されてくる原稿Ｍ２は、補助搬送ローラ３００により補助的に搬送され、先に排出された原稿Ｍ１の下に良好に潜り込むことができる。
【００６６】
ここで、本実施形態では、フラップ１２０が水平方向に延び、固定トレイ１１０が上方へ傾斜して延びるとともに、補助搬送ローラ３００が固定トレイ１１０の上流端部に設けられているので、排出されてくる原稿Ｍ２の先端は補助搬送ローラ３００に向かって移動することとなる。これにより、原稿Ｍ２と補助搬送ローラ３００とを確実に接触させることができるので、補助搬送ローラ３００の作用を確実に得ることができる。
【００６７】
なお、原稿Ｍ２は、読取面Ｐ２を上向きにして原稿Ｍ１の下に排出される。同様に原稿Ｍ１も、読取面Ｐ１を上向きにして排出されているので、潜込モードにより、原稿のページ順を、上から順に、Ｐ１、Ｐ２と整列させた状態とすることができる。この順番は、原稿Ｍ１，Ｍ２を供給トレイ１０に載置したときのページ順と同じである。
【００６８】
以上説明したように、本実施形態の排出装置を備えた原稿搬送装置１によれば、補助搬送ローラ３００により、後の原稿Ｍ２の潜り込みを補助することができるので、後の原稿Ｍ２を良好に潜り込ませることができる。また、切替機構（フラップ１２０、カム４１０およびローラガード４３０）によって補助搬送ローラ３００を接触状態と非接触状態との間で切り替えることができるので、状況（排出モードの違い）に応じて、補助搬送ローラ３００を機能させて後の原稿Ｍ２を良好に潜り込ませることができる。
【００６９】
本実施形態では、切替機構が突出位置と退避位置との間で揺動して進退することで、補助搬送ローラ３００と排出トレイ１００上の原稿とを接触状態または非接触状態に切り替えるローラガード４３０を有するので、補助搬送ローラ３００の位置を固定することができる。これにより、補助搬送ローラ３００の位置が変化する構成と比較して、補助搬送ローラ３００の駆動機構を簡易な構成とすることができる。
【００７０】
特に、本実施形態では、切替機構（ローラガード４３０）がフラップ１２０の揺動に連動して動作し、突出位置と退避位置との間で揺動して非接触状態と接触状態を切り替えるように構成されているので、ローラガード４３０を揺動させるための機構を別に設ける必要がない。これにより、原稿搬送装置１をより簡易な構成とすることができるとともに、コストダウンを図ることができる。
【００７１】
本実施形態では、１つのモータ３１０で補助搬送ローラ３００およびＳＢローラ５３に駆動力を付与し、モータ３１０の回転方向に応じて補助搬送ローラ３００を駆動させたり、停止させたりすることが可能な構成としたので、必要なときに補助搬送ローラ３００を機能させることができる。また、このような構成を採用することで、補助搬送ローラ３００を回転駆動させるためのモータを別に設ける必要がないので、コストダウンおよび省スペース化（小型化）を図ることができる。
【００７２】
以上、本発明の実施形態について説明したが、本発明は前記実施形態に限定されるものではない。具体的な構成については、本発明の趣旨を逸脱しない範囲で適宜変更が可能である。
【００７３】
前記実施形態では、排出トレイ１００に１つの補助搬送ローラ３００が設けられた構成（図１参照）を例示したが、本発明はこれに限定されず、補助搬送ローラが複数設けられていてもよい。補助搬送ローラを複数設ける場合、補助搬送ローラを、例えば、幅方向に並べて配置してもよいし、排出方向に並べて配置してもよい。
【００７４】
前記実施形態では、ローラガード４３０（切替部材）が突出位置と退避位置との間で揺動可能に構成された例を示したが、本発明はこれに限定されず、例えば、切替部材が突出位置と退避位置との間で上下にスライド移動可能に構成されていてもよい。
【００７５】
前記実施形態では、ローラガード４３０（切替部材）が、フラップ１２０の下方への揺動に応じてフラップ１２０に押し動かされて退避位置から突出位置に揺動し、フラップ１２０の上方への揺動に応じて揺動軸４３１より下流側の重さで突出位置から退避位置に揺動するように構成した例を示したが、本発明はこれに限定されるものではない。
【００７６】
例えば、切替部材を常時突出位置に付勢するバネを設け、フラップの上方への揺動に応じてフラップに押し動かされて突出位置から退避位置に揺動し、フラップの下方への揺動に応じてバネの付勢力で退避位置から突出位置に揺動するように構成してもよい。また、切替部材の当接部とフラップとを常時当接するように配置し、フラップの上下の揺動に応じてフラップに押し動かされて当接状態（当接面積や当接位置など）が変化することで、突出位置と退避位置との間で揺動するように構成してもよい。
【００７７】
前記実施形態では、後の原稿と補助搬送ローラ３００とを確実に接触させるため、潜込モードのときに、フラップ１２０が水平方向に延び、固定トレイ１１０が上方へ傾斜して延びるように、フラップ１２０と固定トレイ１１０を配置し、補助搬送ローラ３００を固定トレイ１１０の上流端部に設けた構成を例示したが、本発明はこれに限定されるものではない。例えば、潜込モードのときに、フラップが下流側に向かうにつれて斜め上方へ傾斜するように延び、固定トレイがフラップより大きな傾斜角度で下流側に向かうにつれて斜め上方へ傾斜するように延びるように、フラップと固定トレイを配置し、補助搬送ローラを固定トレイの上流端部に設けてもよい。
【００７８】
前記実施形態では、排出モードの違いに応じて、補助搬送ローラ３００と排出トレイ１００上の原稿（シート）とを接触状態または非接触状態に切り替える構成を例示したが、本発明はこれに限定されるものではない。例えば、シートの種類の違いや排出トレイに排出されたシートの枚数などに応じて切り替えてもよい。具体的には、ユーザがシートの種類（重いシートなど）を選択したときに切り替えるように構成したり、排出トレイに排出されたシートの枚数が所定枚数を超えたときに切り替えるように構成したりしてもよい。
【００７９】
前記実施形態では、排出モードを切り替えるため、上流端部が上下に揺動することで潜込モードと積層モードとを切り替えるフラップを有する構成を例示したが、本発明はこれに限定されず、例えば、上下にスライド移動することで排出モードを切り替えるフラップを採用してもよい。また、排出トレイの位置は固定とし、排出ローラが上下に移動することで排出モードを切り替える構成を採用してもよい。
【００８０】
前記実施形態では、本発明を排出モードを切替可能な原稿搬送装置１に適用した例を示したが、本発明はこれに限定されず、例えば、潜込モード（潜込排紙）のみを行う原稿搬送装置や排出装置に適用してもよい。
【００８１】
前記実施形態では、切替機構がカム４１０と、フラップ１２０と、ローラガード４３０（切替部材）とから構成された例を示したが、本発明はこれに限定されず、例えば、手動で切替部材を突出位置と退避位置との間で移動させる機構を採用してもよい。また、補助搬送ローラ自身を接触状態の位置と非接触状態の位置との間で移動させる機構を採用してもよい。
【００８２】
前記実施形態では、本発明の排出装置を、排出トレイ１００が供給トレイ１０の上方に配置された、いわゆる下給紙・上排紙の原稿搬送装置１に適用した例を示したが、本発明はこれに限定されるものではない。例えば、排出トレイが供給トレイの下方に配置された、いわゆる上給紙・下排紙の原稿搬送装置に適用してもよいし、プリンタや複写機などの画像形成装置の用紙を排出する部分に適用してもよい。
【００８３】
前記実施形態では、反転ローラとしてＳＢローラ５３を例示したが、本発明はこれに限定されず、例えば、原稿搬送装置の排出ローラや、画像形成装置において用紙を排出する排出ローラなどであってもよい。
【００８４】
前記実施形態では、記録シートとして、片面または両面に絵や文字などが印刷された原稿を例示したが、本発明はこれに限定されず、例えば、本発明の排出装置が画像形成装置に適用された場合には未使用（白紙）の用紙やＯＨＰシートなどであってもよい。
【００８５】
前記実施形態では、補助搬送ローラ３００の駆動機構は、モータ３１０（駆動源）が一の方向に回転してＳＢローラ５３（反転ローラ）を原稿を引き戻す方向に回転させるときに補助搬送ローラ３００を回転駆動させ、モータ３１０が他の方向に回転してＳＢローラ５３を原稿を排出する方向に回転させるときに補助搬送ローラ３００を停止させる構成を例示したが、本発明はこれに限定されるものではない。
【００８６】
例えば、本発明を両面印字が可能なプリンタに適用した場合などにおいて、駆動源が一の方向に回転して排出ローラ（反転ローラ）をシートを排出する方向に回転させるときには、シートを良好に潜り込ませるため、補助搬送ローラ３００を回転駆動させ、駆動源が他の方向に回転して排出ローラをシートを引き戻す方向に回転させるときには、シートの移動を防ぐため、補助搬送ローラ３００を停止させる構成としてもよい。
【符号の説明】
【００８７】
１      原稿搬送装置
５３    ＳＢローラ
１００  排出トレイ
１１０  固定トレイ
１２０  フラップ
１２１  揺動軸
１２２  上流端部
１２３  突出部
１２４  下流端部
２００  排出ローラ
３００  補助搬送ローラ
３１０  モータ
３２０  ギヤ列
３２１  ＳＢローラギヤ
３２３  サンギヤ
３２４  遊星ギヤ
３２５  伝達ギヤ
３２６  連結部材
４１０  カム
４３０  ローラガード
４３１  揺動軸
４３２  当接部
４３３  荷重受け部
Ｌ１    距離
Ｌ２    距離
Ｍ      原稿
【図１】
2010275065.tif 000003
【図２】
2010275065.tif 000004
【図３】
2010275065.tif 000005
【図４】
2010275065.tif 000006
【図５】
2010275065.tif 000007
【図６】
2010275065.tif 000008